(57)【特許請求の範囲】
【請求項１】
フイルムの両側端部を把持した状態で走行するフイルム移送装置が、該フイルム移送装置を構成しているローラ（６、７、８）を介して案内されるようになっているスチールベルト（１、１’）であって、
前記スチールベルト（１、１’）の表面には、前記ローラ（６、７、８）が転動する軌跡上に油溝（１０、１１、１２、１１Ｃ、１１コ、１１Ｊ）が設けられ、潤滑油の注油口（１５、１６、１７）は前記油溝（１０、１１、１２、１１Ｃ、１１コ、１１Ｊ）内の所定箇所に開口していることを特徴とする横延伸装置のスチールベルト。
【請求項２】
請求項１記載の油溝（１０、１１、１２、１１Ｃ、１１コ、１１Ｊ）が、一部に屈曲部を有するようにエンドレスに敷設されているスチールベルト（１、１’）の全長にわたって設けられている横延伸装置のスチールベルト。
【請求項３】
請求項１記載の油溝（１０、１１、１２、１１Ｃ、１１コ、１１Ｊ）が、一部に屈曲部を有するようにエンドレスに敷設されているスチールベルト（１、１’）の、前記屈曲部を基点として、あるいはローラ（６、７、８）の転動方向にみて屈曲部よりも所定距離上流側を基点として、ローラ（６、７、８）の転動方向に所定長さにわたって設けられている横延伸装置のスチールベルト。
【請求項４】
請求項１〜３のいずれかの項に記載の油溝（１０、１１、１２、１１Ｃ、１１コ、１１Ｊ）が、スチールベルト（１、１’）の両側面（４、５）と上面（２）とに設けられ、少なくとも両側面（４、５）に設けられている油溝（１１、１２、１１Ｃ、１１コ、１１Ｊ）の側断面形状は、潤滑油を保持する溜部（１９、１９）を有するように略Ｊ字形になっている横延伸装置のスチールベルト。
【請求項５】
請求項１〜４のいずれかの項に記載の潤滑油の注油口（１５、１６、１７）が、ローラ（６、７、８）の転動方向にみて屈曲部の始点あるいは屈曲部よりも所定距離上流側に開口している横延伸装置のスチールベルト。
【発明の詳細な説明】
【０００１】
【発明の属する技術分野】
本発明は、フイルムの両側端部を把持した状態で走行するフイルム移送装置すなわちフイルム移送用チエーンが、該フイルム移送用チエーンに取り付けられているローラを介して案内されるようになっている横延伸装置のスチールベルトに関するものである。
【０００２】
【従来の技術】
横延伸装置は、文献名を挙げるまでもなく従来周知で、延伸するフイルムの軟化点と融点の中間温度に加熱されるようになっている炉、この炉内に配置されている一対のフイルム移送用チエーン等から構成されている。一対のフイルム移送用チエーンには、フイルムの側端部を把持するためのテンタークリップが所定間隔をおいて複数個設けられ、またローラも所定間隔をおいて複数個取り付けられている。そして、一対のフイルム移送用チエーンは、それぞれの一対のスチールベルトによりローラを介して案内されるようになっているが、特にこれらのスチールベルトは炉内において下流側に向かって間隔が徐々に広がるように敷設されている。
【０００３】
図２は、このような従来周知の横延伸装置を模式的に示す図で、その（イ）は一対のスチールベルトの敷設状態を示すと共に一対のフイルム移送用チエーンの走行軌跡を示す平面図で、その（ロ）は（イ）において矢視ローロで見た図に相当する拡大断面図、その（ハ）はその一部の拡大斜視図であるが、これらの図によりさらに詳しく説明すると、一対のスチールベルト２０、２０’は、図２の（イ）において両端部でターンするようにエンドレスに敷設されている。そして炉内においては、一対のスチールベルト２０、２０’の間隔が、一対のフイルム移送用チエーン３０、３０’の移動方向に向かってテーパ状に広がる部分を有するように敷設されている。このように、一対のスチールベルト２０、２０’は、両端部でターンするように、また炉内においてテーパ状に広がる部分を有するように敷設されているので、屈曲部２１、２１、…、２１’、２１’、…を有することになる。
【０００４】
一対のスチールベルト２０、２０’は、対称的に敷設され、そして構造的には同じであり、またこれらのスチールベルト２０、２０’により案内される一対のフイルム移送用チエーン３０、３０’も同じ構造をしているので、以下主として一方のスチールベルト２０とフイルム移送用チエーン３０とについて説明する。スチールベルト２０は、図２の（ロ）、（ハ）に示されているように、断面形状が上面２２と両側面２３、２３とを有するように略長方形に形成され、そしてその両側面２３、２３が垂直になるようにして支持部材２４により、上記したように屈曲部２１、２１、…、２１’、２１’、…、を有する敷設されている。フイルム移送用チエーン３０には、支持ローラ３１、３１、…と上下のガイドローラ３２、３２、…、３３、３３、…とが所定間隔をおいて複数個取り付けられ、支持ローラ３１、３１、…がスチールベルト２０の上面２２上を転動してフイルム移送用チエーン３０の荷重を支え、上下のガイドローラ３２、３２、、…、３３、３３、…が両側面２３、２３に接して転動して走行方向を規制している。また、フイルム移送用チエーン３０には、従来周知のようにテンタークリップ３４、３４、…も所定間隔をおいて複数個取り付けられている。
【０００５】
横延伸装置は、概略上記のように構成されているので、配向性のある樹脂フイルムの両側端部をテンタークリップ３４、３４’、…で把持して、フイルム移送用チエーン３０、３０’を駆動し炉内を移送すると、一対のスチールベルト２０、２０’は、炉内においてテーパ状に広がる部分を有するので、従来周知のようにして延伸され、延伸方向の引っ張り強度の高いフイルムを得ることができる。
【０００６】
ところで、フイルムを延伸するためには、一対のフイルム移送用チエーン３０、３０’を、固定された一対のスチールベルト２０、２０’に接して駆動しなければならないので、フイルム移送用チエーン３０、３０’の支持ローラ３１、３１、…および上下のガイドローラ３２、３２、…、３３、３３、…と一対のスチールベルト２０、２０’との間に摩擦が生じる。そこで、図２の（ロ）、（ハ）に示されているように、スチールベルト２０の上下方向には潤滑用の油孔４０、４０、…が所定位置に設けられ、これらの油孔４０、４０、…に対応した上面２２と両側面２３、２３に、これらの油孔４０、４０、…に連通した給油開口部４１、４２、４３がそれぞれ形成されている。そして、これらの油孔４０、４０、…には、支持部材２４に形成されている給油孔４５、４５、…から潤滑油が供給されるようになっている。なお、これらの給油開口部４１、４２、４３は、支持ローラ３１、３１、…および上下のガイドローラ３２、３２、…、３３、３３、…の転動軌跡上で、図２の（イ）において黒の点で示されているようにスチールベルト２０、２０’の屈曲部２１、２１’、…あるいはターン部に設けられている。
【０００７】
【発明が解決しようとする課題】
上記のように、従来の横延伸装置の一対のスチールベルト２０、２０’にも給油開口部４１、４２、４３が設けられ、延伸するときには転動する支持ローラ３１、３１、…および上下のガイドローラ３２、３２、…、３３、３３、…に潤滑油が付着するようになっているので、一対のスチールベルト２０、２０’、支持ローラ３１、３１、…および上下のガイドローラ３２、３２、…、３３、３３、…等の摩耗はある程度防止される。しかしながら、給油開口部４１、４２、４３が、図２の（イ）において黒の点で示されているように、ターン部のような特殊な点においてのみ設けられているので、色々な問題点あるいは欠点もある。例えば、給油開口部４１、４２、４３により局部的に給油されるので、支持ローラ３１、３１、…および上下のガイドローラ３２、３２、…、３３、３３、…に付着する潤滑油の量が少なく、次の給油開口部に達する前に潤滑油が不足してスチールベルト２０、２０’、支持ローラ３１、３１、…等に摩耗が起こることがある。摩耗が起こると、フイルム移送用チエーン３０、３０’したがってテンタークリップ３４、３４’、…の走行が不安定になり振動し、延伸力が変動して品質を落とすことになる。そこで、より安価なスチールベルト２０、２０’の方が、ローラ３１、３２、３３、…よりも先に摩耗するようにして、早期にスチールベルト２０、２０’を交換しているのが実状である。
【０００８】
これに対して、供給する潤滑油の量を増やすと、塊状あるいは滴状の給油となり支持ローラ３１、３１、…および上下のガイドローラ３２、３２、…、３３、３３、…により潤滑油が周りに飛散する。飛散すると、成形品に付着し同様に品質を落とすことになる。このような飛散を防ぐために間欠給油も行われているが、フイルム移送用チエーン３０、３０’の速度、使用する潤滑油の油質等により適正な油量の決定が困難な状況下にある。
本発明は、上記したような従来の欠点、問題点等を解決した横延伸装置のスチールベルトを提供することを目的とし、具体的にはスチールベルトの摩耗量も、またローラの摩耗量も小さく、しかも潤滑油の飛散も少ない横延伸装置のスチールベルトを提供することを目的としている。
【０００９】
【課題を解決するための手段】
本発明は、上記目的を達成するために、スチールベルトのローラの走行する軌跡表面に油溝が設けられ、この油溝から潤滑油がローラに供給されるように構成される。すなわち、本発明は上記目的を達成するために、フイルムの両側端部を把持した状態で走行するフイルム移送装置が、該フイルム移送装置を構成しているローラを介して案内されるようになっているスチールベルトであって、前記スチールベルトの表面には、前記ローラが転動する軌跡上に油溝が設けられ、潤滑油の注油口は前記油溝内の所定箇所に開口するように構成される。
請求項２記載の発明は、請求項１記載の油溝が、一部に屈曲部を有するようにエンドレスに敷設されているスチールベルトの全長にわたって設けられ、請求項３記載の発明は、請求項１記載の油溝が、一部に屈曲部を有するようにエンドレスに敷設されているスチールベルトの、前記屈曲部を基点として、あるいはローラの転動方向にみて屈曲部よりも所定距離上流側を基点として、ローラの転動方向に所定長さにわたって設けられ、請求項４記載の発明は、請求項１〜３のいじれかの項に記載の油溝が、スチールベルトの両側面と上面とに設けられ、少なくとも両側面に設けられている油溝の側断面形状は、潤滑油を保持する溜部を有するように略Ｊ字形に、そして請求項５記載の発明は、請求項１〜４のいじれかの項に記載の潤滑油の注油口が、ローラの転動方向にみて屈曲部の始点あるいは屈曲部よりも所定距離上流側に開口しているように構成される。
【００１０】
【発明の実施の形態】
以下、本発明の実施の形態を図１により説明する。図１の（イ）は、本実施の形態に係わるスチールベルトの一部を示す斜視図であるが、本実施の形態に係わるスチールベルト１（１’）も図２に関して説明した従来のスチールベルト２０、２０’と同様に屈曲部を有しエンドレスに敷設されている。そして、これらのスチールベルト１（１’）により、テンタークリップが取り付けられている一対のフイルム移送用チエーンが周知のように案内されるようになっている。しかしながら、図１の（イ）においては、スチールベルト１の一部のみが示され、またフイルム移送用チエーンに関しては１個の支持ローラ６と、それぞれ１個の上下のガイドローラ７、８のみが示されている。したがって、以下主として一方のスチールベルト１と、スチールベルト１の上面と片方の面に接して転動するローラ６、７、８について説明する。
【００１１】
スチールベルト１は、上下面２、３および両側面４、５を有するように、断面形状が略方形を呈するように形成され、そして両側面４、５が垂直になるようにして敷設されている。スチールベルト１の上面２には、フイルム移送用チエーンの重量を支持する支持ローラ６が乗った状態で転動し、両側面４、５には上下のガイドローラ７、８が転がり接触して転動するようになっている。これらの上下のガイドローラ７、８によりフイルム移送用チエーンすなわちテンタークリップの走行時の横方向のフレが規制される。
【００１２】
スチールベルト１の上面２には、支持ローラ６の転動する軌跡上に、表面に開口した第１の油溝１０が機械加工により、あるいは圧延等の素材加工時に形成されている。また、スチールベルト１の両側面４、５には上下のガイドローラ７、８の転動する軌跡上に、同様に表面に開口した第２、３の油溝１１、１２が、スチールベルト１の全長にわたって設けられている。そして、これらの油溝１０、１１、１２に、潤滑油の注油口１５、１６、１７がそれぞれ開口している。なお、これらの注油口１５、１６、１７は、スチールベルト１の適所に設けられ、そして図２に関して説明したように、それぞれの給油油孔１８から潤滑油が供給されるようになっている。
【００１３】
本実施の形態に係わるスチールベルト１は、上記のように構成されているので、外部から給油油孔１８に潤滑油を供給すると、潤滑油は注油口１５、１６、１７から第１、２、３の油溝１０、１１、１２に給油される。そうして、これらの第１、２、３の油溝１０、１１、１２に導かれ、あるいは保持されて第１、２、３の油溝１０、１１、１２の縁から線状となってスチールベルト１の表面に流れ出る。延伸のためにフイルム移送用チエーンを駆動すると、流れ出た潤滑油の上を支持ローラ６と上下のガイドローラ７、８が転動する。これにより支持ローラ６と上下のガイドローラ７、８によりスチールベルト１の表面に油膜が形成され、摩耗が防止される。また充分な油膜によりテンタークリップの振動も防止される。
【００１４】
本発明は、上記本実施の形態に限定されることなく色々な形で実施できる。例えば、スチールベルト１の摩耗は、直線部よりも屈曲部において起こり易いので、第１、２、３の油溝１０、１１、１２は、屈曲部を基点としてスチールベルト１の走行方向に所定長さ、あるいはスチールベルト１の走行方向にみて屈曲部よりも所定距離上流側を始点として所定長さ設けることもできる。これにより、第１、２、３の油溝１０、１１、１２の加工費が低減できる。このとき、注油口１５、１６、１７も、摩耗の起こり安い箇所に充分な潤滑油が届くように、屈曲部の始点あるいは屈曲部よりも所定距離上流側の点に設けるのが望ましい。
【００１５】
第１、２、３の油溝１０、１１、１２も、色々な形で実施できる。例えば、図１の（ロ）、（ハ）および（ニ）には、油溝の他の実施の形態が示されているが、図１の（ロ）に示されているように断面形状を加工の容易な略Ｃ字形の油溝１１Ｃ、１１Ｃにすることも、また（ハ）に示されているように略コ字形の油溝１１コ、１１コにすることもできる。さらには、図１の（ニ）に示されているように、断面形状が略Ｊ字形を呈する油溝１１Ｊ、１１Ｊで実施することもできる。これにより、油溝１１Ｊ、１１Ｊの底部に潤滑油を保持する溜部１９、１９が確保され、注油口１６、１７により給油された潤滑油をスチールベルト１の長手方向に導く効果が得られる。
【００１６】
【発明の効果】
以上のように、本発明によると、横延伸装置のスチールベルトの表面には、ローラが転動する軌跡上に油溝が設けられ、潤滑油の注油口は油溝内の所定箇所に開口しているので、注油口に潤滑油を供給すると、潤滑油は油溝に沿って流れて油溝の縁から表面にも流れ出る。すなわち、従来のような点による給油ではなく、油溝による線状の給油であるので、潤滑油が不足する箇所か生じるようなことがない。したがって、本発明によると、フイルム移送装置を構成しているローラにより、該ローラの走行軌跡上のスチールベルトの表面には充分な油膜が形成され、スチールベルトおよびローラの摩耗が防止されるという本発明特有の効果が得られる。また、本発明によると、従来のような塊状あるいは滴状の給油ではなく、油溝による線状の給油であるので、多めに給油しても潤滑油が周りに飛散して成形品を汚染するようなこともない。こよのうに、潤滑油は充分に給油され、また飛散もしないので、間欠的にも連続的にも給油でき、給油用ポンプの駆動方式に融通性も得られる。さらには、摩耗が少ないのでスチールベルトを長期にわたって使用でき安価に成形品を得ることもできる。また、摩耗が少ないので、摩耗による誤差、振動がなく高品質の成形品を得ることもできる。
請求項２に記載の発明によると、油溝はスチールベルトの全長にわたって設けられているので、上記効果に加えて、継ぎ目による段差のないスチールベルトに構成することができ、フイルム移送装置の安定、高速走行が可能となるという効果が得られる。また、請求項３に記載の発明によると、油溝はスチールベルトの、屈曲部を基点として、あるいはローラの転動方向にみて屈曲部よりも所定距離上流側を基点として、ローラの転動方向に所定長さにわたって設けられているので、すなわち摩耗の生じ易い点に油溝が設けられているので、油溝の加工費が安価になる効果が付加される。請求項４に記載の発明によると、スチールベルトの少なくとも両側面に設けられている油溝の側断面形状は、潤滑油を保持する溜部を有するように略Ｊ字形になっているので、潤滑油をスチールベルトの長手方向に導く作用が高められ、そして請求項５に記載の発明によると、潤滑油の注油口はローラの転動方向にみて屈曲部の始点あるいは屈曲部よりも所定距離上流側に開口しているので、効果的な給油ができる。
【図面の簡単な説明】
【図１】  本発明の実施の形態を示す図で、その（イ）は一部を断面にして示す模式的斜視図で、（ロ）、（ハ）、（ニ）は、油溝のそれぞれ異なる実施の形態を示すスチールベルトの断面図である。
【図２】  従来例を示す図で、その（イ）は一対のスチールベルトの敷設状態あるいは一対のフイルム移送用チエーンの走行軌跡を示す平面図で、その（ロ）は（イ）において矢視ローロで見た図に相当する拡大断面図、その（ハ）はその一部の拡大斜視図である。
【符号の説明】
１                                        スチールベルト
２                                        上面
４、５                                    側面
６                                        支持ローラ
７、８                                    上下のガイドローラ
１０、１１、１２、１１Ｃ、１１コ、１１Ｊ    油溝
１５、１６、１７                            注油口
【図１】
0003682357.tif 000002
【図２】
0003682357.tif 000003